(57)【要約】【課題】通電が遮断された状態においても、フィルターからの温水の漏出を防止する。【解決手段】外槽３３の底部３３ａと排水手段３９を連通する排水経路４４と、排水経路４４に設けられ洗濯水中の異物を取り除くフィルター手段４５とを備え、前記フィルター手段４５は、排水経路４４に連通接続したフィルターケース４６と、フィルターケース４６内に脱着自在に装着するフィルター４７と、フィルター４７を装着した状態に保持するロック手段４８とを有し、ロック手段４８は、洗濯水の温度が所定温度より高い時にロックするようにしたものである。【選択図】図２
2014233516.tif 000002
【特許請求の範囲】
【請求項１】
洗濯機本体内に揺動可能に支持した外槽と、
前記外槽内に回転自在に配設した洗濯兼脱水槽と、
前記外槽に洗濯水を供給する給水手段と、
洗濯水を加熱する加熱手段と、
洗濯水を排水する排水手段と、
前記外槽の底部と前記排水手段を連通する排水経路と、
前記排水経路内に設けられ排水経路内の残水を検知する水検知手段と、
前記排水経路に設けられ洗濯水中の異物を取り除くフィルター手段とを備え、
前記フィルター手段は、
前記排水経路に連通接続したフィルターケースと、
前記フィルターケース内に脱着自在に装着するフィルターと、
前記フィルターを装着した状態に保持するロック手段とを有し、
前記ロック手段は、前記排水経路内に残水を検知した時にロックするようにした
洗濯機。
【請求項２】
洗濯機本体内に揺動可能に支持した外槽と、
前記外槽内に回転自在に配設した洗濯兼脱水槽と、
前記外槽に洗濯水を供給する給水手段と、
洗濯水を加熱する加熱手段と、
洗濯水を排水する排水手段と、
前記外槽の底部と前記排水手段を連通する排水経路と、
前記排水経路に設けられ洗濯水中の異物を取り除くフィルター手段とを備え、
前記フィルター手段は、
前記排水経路に連通接続したフィルターケースと、
前記フィルターケース内に脱着自在に装着するフィルターと、
前記フィルターを装着した状態に保持するロック手段とを有し、
前記ロック手段は、洗濯水の温度が所定温度より高い時にロックするようにした
洗濯機。
【請求項３】
前記ロック手段は、
前記フィルターの離脱を防止するロック部と、
洗濯水の温度を感知する感温部と、
前記感温部で感知した温度に応じて前記ロック部を駆動するロック操作部を有し、
前記感温部を前記排水経路に設けた
請求項２記載の洗濯機。
【請求項４】
前記ロック手段は、
前記フィルターの離脱を防止するロック部と、
洗濯水の温度を感知する感温部と、
前記感温部で感知した温度に応じて前記ロック部を駆動するロック操作部を有し、
前記感温部を前記フィルターケースに設けた
請求項２記載の洗濯機。
【請求項５】
前記ロック手段は、
前記フィルターの離脱を防止するロック部と、
洗濯水の温度を感知する感温部と、
前記感温部で感知した温度に応じて前記ロック部を駆動するロック操作部を有し、
前記ロック手段を前記フィルター内に設けた
請求項２から４のいずれか１項に記載の洗濯機。
【請求項６】
前記ロック手段は、
前記フィルターの離脱を防止するロック部と、
洗濯水の温度を感知する感温部と、
前記感温部で感知した温度に応じて前記ロック部を駆動するロック操作部を有し、
前記感温部をコイル状の形状記憶合金で構成した
請求項１または２記載の洗濯機。
【請求項７】
前記ロック手段は、
洗濯水の温度を感知する感温部を有した液体膨張による作動体で構成し、
前記感温部を前記加熱手段近傍の前記外槽に設けた
請求項１または２記載の洗濯機。
【発明の詳細な説明】
【技術分野】
【０００１】
本発明は、衣類等の洗濯物を洗う洗濯機に関するものである。
【背景技術】
【０００２】
従来、この種の洗濯機は、洗濯水に含まれるリント等の異物を取り除くフィルター装置が排水経路に設けられており、フィルターを脱着可能に設けて捕集した異物を除去することができるようにしている。そして、フィルター装置のメンテナンス時に、排水が機外に漏れることを防止することが考えられている（例えば、特許文献１参照）。
【０００３】
図８は、特許文献１に記載された従来の洗濯機を示すものである。図８において、ドラム１を回転自在に支持する水槽２内の水を排出する排水経路３と、排水経路３の途中に着脱可能に配設され、排水に含まれるリント等の異物を捕集するフィルター装置４と、排水経路３の途中に連通して設けられ、排水の一部を導く排水導入経路５と、排水導入経路５中の水位を検知するフロートから成る残水検知手段６と、残水検知手段６と連係してフィルター装置４の取り外しを規制するロック装置７を備えたものであり、残水を検知してフィルター装置４の取り外しを規制することにより、残水があるときのフィルター装置４の取り外しによる漏水を防止するようにしたものである。
【０００４】
また、作動体を流体の温度変化により形状が変化する形状記憶合金で形成し、流体の温度変化による作動体の形状変化により、弁体を弁座に接離させて開閉作動するようにした温度弁が考えられている（例えば、特許文献２参照）。
【先行技術文献】
【特許文献】
【０００５】
【特許文献１】特開２０１０−１３６７４０号公報
【特許文献２】実開昭５６−１１３２７４号公報
【発明の概要】
【発明が解決しようとする課題】
【０００６】
しかしながら、前記従来の構成では、残水検知手段を排水導入経路中に設けたフロートで構成しているため、排水中のゴミやリントでフロートが汚れ、動作不良が生じるという問題があった。また、フィルター装置の取り外しを規制するロック装置は、電気的に駆動する構成であるため電源が遮断されると作動しなくなるという課題があった。一般的に、フィルター装置のメンテナンス作業は、洗濯の終了後に行われることが多く、洗濯機は運転を停止した状態であり、ロック装置を駆動する制御手段が不作動状態であるときは、フィルター装置の取り外しによる漏水を防止することがでないという問題があった。
【０００７】
本発明は、前記従来の課題を解決するもので、洗濯機の通電が遮断された状態においても、フィルターからの温水の漏出を防止することができるようにした洗濯機を提供することを目的とする。
【課題を解決するための手段】
【０００８】
前記従来の課題を解決するために、本発明の洗濯機は、洗濯機本体内に揺動可能に支持した外槽と、前記外槽内に回転自在に配設した洗濯兼脱水槽と、前記外槽に洗濯水を供給する給水手段と、洗濯水を加熱する加熱手段と、洗濯水を排水する排水手段と、前記外槽の底部と前記排水手段を連通する排水経路と、前記排水経路内に設けられ排水経路内の残水を検知する水検知手段と、前記排水経路に設けられ洗濯水中の異物を取り除くフィルタ
ー手段とを備え、前記フィルター手段は、前記排水経路に連通接続したフィルターケースと、前記フィルターケース内に脱着自在に装着するフィルターと、前記フィルターを装着した状態に保持するロック手段とを有し、前記ロック手段は、前記排水経路内に残水を検知した時にロックするようにしたものである。
【０００９】
これによって、洗濯中や洗濯後に、洗濯水や残水が外槽や排水経路に存在し所定温度より高い場合は、通電が遮断された状態であってもロック手段が作動してフィルターを取り外せなくすることができるようになり、温水の漏出を防止して、安全性を向上することができる。
【発明の効果】
【００１０】
本発明の洗濯機は、洗濯水や残水が外槽や排水経路に存在し所定温度より高い場合は、通電が遮断された状態であってもフィルターを取り外せなくすることができ、温水の漏出を防止して、安全性を向上することができる。
【図面の簡単な説明】
【００１１】
【図１】本発明の実施の形態１における洗濯機の要部断面図
【図２】本発明の実施の形態２における洗濯機の要部断面図
【図３】本発明の実施の形態３における洗濯機の要部断面図
【図４】本発明の実施の形態４における洗濯機の要部断面図
【図５】本発明の実施の形態５における洗濯機の要部断面図
【図６】本発明の実施の形態６における洗濯機のフィルター手段のロック時の要部断面図
【図７】同洗濯機のフィルター手段のロック解除時の要部断面図
【図８】本発明の実施の形態７における洗濯機の要部断面図
【図９】従来の洗濯機の要部断面図
【発明を実施するための形態】
【００１２】
第１の発明は、洗濯機本体内に揺動可能に支持した外槽と、前記外槽内に回転自在に配設した洗濯兼脱水槽と、前記外槽に洗濯水を供給する給水手段と、洗濯水を加熱する加熱手段と、洗濯水を排水する排水手段と、前記外槽の底部と前記排水手段を連通する排水経路と、前記排水経路内に設けられ排水経路内の残水を検知する水検知手段と、前記排水経路に設けられ洗濯水中の異物を取り除くフィルター手段とを備え、前記フィルター手段は、前記排水経路に連通接続したフィルターケースと、前記フィルターケース内に脱着自在に装着するフィルターと、前記フィルターを装着した状態に保持するロック手段とを有し、前記ロック手段は、前記排水経路内に残水を検知した時にロックするようにしたことにより、洗濯中や洗濯後に、洗濯水や残水が外槽や排水経路に存在した場合は、通電が遮断された状態であってもロック手段が作動してフィルターを取り外せなくすることができるようになり、残水の漏出を防止して、保守点検時や整備時の安全性を向上することができる。
【００１３】
第２の発明は、洗濯機本体内に揺動可能に支持した外槽と、前記外槽内に回転自在に配設した洗濯兼脱水槽と、前記外槽に洗濯水を供給する給水手段と、洗濯水を加熱する加熱手段と、洗濯水を排水する排水手段と、前記外槽の底部と前記排水手段を連通する排水経路と、前記排水経路に設けられ洗濯水中の異物を取り除くフィルター手段とを備え、前記フィルター手段は、前記排水経路に連通接続したフィルターケースと、前記フィルターケース内に脱着自在に装着するフィルターと、前記フィルターを装着した状態に保持するロック手段とを有し、前記ロック手段は、洗濯水の温度が所定温度より高い時にロックするようにしたことにより、洗濯中や洗濯後に、洗濯水や残水が外槽や排水経路に存在し所定温度より高い場合は、通電が遮断された状態であってもロック手段が作動してフィルター
を取り外せなくすることができるようになり、温水の漏出を防止して、保守点検時や整備時の安全性を向上することができる。
【００１４】
第３の発明は、特に、第１の発明の前記ロック手段は、前記フィルターの離脱を防止するロック部と、洗濯水の温度を感知する感温部と、前記感温部で感知した温度に応じて前記ロック部を駆動するロック操作部を有し、前記感温部を前記排水経路に設けたことにより、残水の溜まり易い排水経路内の残水が少量であっても、確実にその温度を感知してロック部を作動させることができ、ロック手段の信頼性を向上させることができる。
【００１５】
第４の発明は、特に、第１の発明の前記ロック手段は、前記フィルターの離脱を防止するロック部と、洗濯水の温度を感知する感温部と、前記感温部で感知した温度に応じて前記ロック部を駆動するロック操作部を有し、前記感温部を前記フィルターケースに設けたことにより、最初に漏水する残水の温度を感知してロック部を作動させることができ、ロック手段の信頼性を向上させることができる。
【００１６】
第５の発明は、特に、第１〜第３のいずれか１つの発明の前記ロック手段は、前記フィルターの離脱を防止するロック部と、洗濯水の温度を感知する感温部と、前記感温部で感知した温度に応じて前記ロック部を駆動するロック操作部を有し、前記ロック手段を前記フィルター内に設けたことにより、漏水口となるフィルターケース内の残水中に配設できるようになり、感温部の感度を高めてロック部を迅速に作動させることができ、ロック手段の信頼性を向上させることができる。
【００１７】
第６の発明は、特に、第１の発明の前記ロック手段は、前記フィルターの離脱を防止するロック部と、洗濯水の温度を感知する感温部と、前記感温部で感知した温度に応じて前記ロック部を駆動するロック操作部を有し、前記感温部をコイル状の形状記憶合金で構成したことにより、設定温度以上で確実にロック操作部を伸ばすことができ、ロック手段の信頼性を向上させるとともに、構成を簡略にすることができる。
【００１８】
第７の発明は、特に、第１の発明の前記ロック手段は、洗濯水の温度を感知する感温部を有した液体膨張による作動体で構成し、前記感温部を前記加熱手段近傍の前記外槽に設けたことにより、フィルターと離れた位置から残水の温度を感知してロック部を作動させることができるようになり、残水の温度が最も高い外槽内の温度を感知して、温水の漏出を防止することができ、安全性を向上することができる。
【００１９】
以下、本発明の実施の形態について、図面を参照しながら説明する。なお、この実施の形態によって本発明が限定されるものではない。
（実施の形態１）
図１は、本発明の第１の実施の形態の洗濯機の要部断面図である。図１において、洗濯機本体３０内に弾性体３１と減衰装置３２によって外槽３３を揺動可能に弾性支持している。洗濯兼脱水槽３４は、外槽３３内に回転自在に配設している。モータ（駆動手段）３５は、ブラシレス直流モータで構成され、インバータ制御によって回転速度を自在に変化させることができるようにしている。
【００２０】
モータ３５は、外槽３３の外底部の後面側に取り付けている。モータ３５の動力は、モータ３５の回転軸に取り付けたモータプーリ３５ａと、洗濯兼脱水槽３４の回転軸に取り付けた洗濯兼脱水槽プーリ３４ａに架設した駆動ベルト３５ｂを介して洗濯兼脱水槽３４に伝達され、回転させるようにしている。
【００２１】
給水弁（給水手段）３６は、水道栓等に接続され、外槽３３内と洗剤供給手段３７に洗濯水を給水するものであり、外槽３３内への直接給水と、洗剤供給手段３７を経由する間
接給水とに切り替える電磁式の２方弁である。水位検知手段３８は、外槽３３内の洗濯水の水位を検知する。排水弁（排水手段）３９は、外槽３３内の洗濯水を機外へ排水するものである。
【００２２】
制御手段４０は、洗濯機本体３０内の上部に配設されており、洗濯機本体３０の前面上部に設けられた操作表示部（図示せず）により入力された設定内容に基づいて、洗い、すすぎ、脱水の各行程を逐次制御し、パワースイッチング手段（図示せず）を介して、モータ３５、給水弁３６、排水弁３９等を逐次制御する。
【００２３】
減衰装置３２は、オイルを作動流体とする粘性ダンパーで、脱水起動時の外槽３３の共振振動振幅を低減するものであり、洗濯機本体３０の底部３０ａと外槽３３の底部３３ａの間に固定されている。脚４１は、ゴムなどの弾性体で構成され、洗濯機本体３０の底部３０ａの四隅に配設されている。
【００２４】
加熱手段４２は、水中で使用可能なシーズヒータ等が使用され、外槽３３内の底部に略Ｕ字状に曲げて配設されている。外槽３３内の洗濯水は、操作表示部により設定された設定温度に基づいて、洗濯に適した温度（例えば、４０℃）に加熱され、また、除菌に適した温度（例えば、７０℃）に加熱される。洗濯水の温度は、外槽３３の底部３３ａに設けられたサーミスタ等の温度検知手段４３により検知し、加熱手段４２は、温度検知手段４３の出力信号が制御手段４０に入力されて制御される。
【００２５】
外槽３３の底部３３ａと排水弁３９を連結する排水経路４４が設けられており、外槽３３の下方に配設されている。排水経路４４には、排水される洗濯水中の異物を取り除くフィルター手段４５が設けられている。
【００２６】
フィルター手段４５は、排水経路４４に連通接続したフィルターケース４６と、フィルターケース４６内に脱着自在に装着するフィルター４７と、フィルター４７の装着時と取外し時にフィルター４７を把持するフィルターツマミ４７ａと、フィルター４７を装着状態に保持するロック手段４８とで構成している。
【００２７】
電極センサ８０は、排水経路４４内の下流側に設けられ、排水経路４４内を流れる導電性液体（例えば排水など）の有無を検知する。本実施例では、下流側流域のフィルター４７の近傍に設けているが、排水経路内の導電性液体を検知することができれば、排水経路内のどこに設けてもよい。
【００２８】
ロック手段４８は、電極センサ８０と、一端をバイメタルで構成されたロック操作部５０で支持し、ロック操作部５０の先端にフィルターツマミ４７ａに向けて折り曲げて形成したロック部５１とで構成され、電極センサ８０で所定の導電性液体（を感知した場合は、ロック操作部５０が変形してロック手段４８が作動する。
【００２９】
電極センサ８０は、排水経路４４内に滞留した洗濯水から吸熱しバイメタルで構成したロック操作部５０を支持するとともに、熱を伝える働きをするものである。ロック部５１は、ロック操作部５０の熱変形により移動してフィルターツマミ４７ａに設けられているロック穴５２に挿入されるように構成している。ロック穴５２は、ロック部５１の先端部分と対向する位置に設けられている。
【００３０】
以上のように構成された洗濯機について、以下その動作、作用を説明する。まず、外槽３３の前面側に設けた開口部３３ｂを開閉する扉３０ｂを開き、洗濯兼脱水槽３４の前面側に開口した投入口３４ｂから洗濯兼脱水槽３４内に洗濯物を投入し、洗剤供給手段３７内に洗剤を入れた後、操作表示部を操作して運転を開始する。
【００３１】
これによって、制御手段４０は、給水弁３６を洗剤供給手段３７側に設定し、外槽３３内に給水を開始する。この時、給水された洗濯水は、外槽３３と洗濯兼脱水槽３４で構成される隙間に流入し、直接洗濯物が吸水することはないので、吸水による洗濯物の温度低下を防ぐことができる。
【００３２】
投入された洗濯物の量を布量検知手段（図示せず）で検知し、洗濯物の量に応じて予め設定された所定量の水が給水されたことを水位検知手段３８が検知すると、制御手段４０は、洗濯兼脱水槽３４を叩き洗いが可能な回転速度（例えば、４５ｒ／ｍｉｎ）で正転と反転を繰り返し行わせ、洗濯物を回転方向へ持ち上げて、洗濯兼脱水槽３４内の上部から落下させる、所謂、叩き洗いを実行する。除菌洗浄を行う場合、外槽３３の底部３３ａに溜めた洗濯水は、加熱手段４２により温度検知手段４３が例えば７０℃を検知するまで加熱される。
【００３３】
洗濯終了後、排水弁３９が作動し、洗濯水が排水される。除菌洗浄の設定により洗濯水の温度が例えば７０℃に加熱されている場合、排水が完全に行われずに排水経路４４内に高温の洗濯水が滞留していると、電極センサ８０を介してロック操作部５０が加熱されて熱変形し、ロック部５１はロック穴５２の方向に移動する。
【００３４】
ロック部５１がロック穴５２に挿入されると、フィルターツマミ４７ａの回動が妨げられ、フィルター４７をフィルターケース４６から取り外すことができなくなる。時間が経過して、滞留した洗濯水の温度が低下し、ロック操作部５０の形状が復元すると、ロック部５１がロック穴５２から抜けてフィルターツマミ４７ａの回動が可能となり、フィルター４７を取り外すことができるようになる。したがって、高温の洗濯水が漏出することなく、安全にフィルター４７を取り外すことができるようになる。
（実施の形態２）
図２は、本発明の第２の実施の形態の洗濯機の要部断面図である。図２において、洗濯機本体３０内に弾性体３１と減衰装置３２によって外槽３３を揺動可能に弾性支持している。洗濯兼脱水槽３４は、外槽３３内に回転自在に配設している。モータ（駆動手段）３５は、ブラシレス直流モータで構成され、インバータ制御によって回転速度を自在に変化させることができるようにしている。
【００３５】
モータ３５は、外槽３３の外底部の後面側に取り付けている。モータ３５の動力は、モータ３５の回転軸に取り付けたモータプーリ３５ａと、洗濯兼脱水槽３４の回転軸に取り付けた洗濯兼脱水槽プーリ３４ａに架設した駆動ベルト３５ｂを介して洗濯兼脱水槽３４に伝達され、回転させるようにしている。
【００３６】
給水弁（給水手段）３６は、水道栓等に接続され、外槽３３内と洗剤供給手段３７に洗濯水を給水するものであり、外槽３３内への直接給水と、洗剤供給手段３７を経由する間接給水とに切り替える電磁式の２方弁である。水位検知手段３８は、外槽３３内の洗濯水の水位を検知する。排水弁（排水手段）３９は、外槽３３内の洗濯水を機外へ排水するものである。
【００３７】
制御手段４０は、洗濯機本体３０内の上部に配設されており、洗濯機本体３０の前面上部に設けられた操作表示部（図示せず）により入力された設定内容に基づいて、洗い、すすぎ、脱水の各行程を逐次制御し、パワースイッチング手段（図示せず）を介して、モータ３５、給水弁３６、排水弁３９等を逐次制御する。
【００３８】
減衰装置３２は、オイルを作動流体とする粘性ダンパーで、脱水起動時の外槽３３の共振振動振幅を低減するものであり、洗濯機本体３０の底部３０ａと外槽３３の底部３３ａ
の間に固定されている。脚４１は、ゴムなどの弾性体で構成され、洗濯機本体３０の底部３０ａの四隅に配設されている。
【００３９】
加熱手段４２は、水中で使用可能なシーズヒータ等が使用され、外槽３３内の底部に略Ｕ字状に曲げて配設されている。外槽３３内の洗濯水は、操作表示部により設定された設定温度に基づいて、洗濯に適した温度（例えば、４０℃）に加熱され、また、除菌に適した温度（例えば、７０℃）に加熱される。洗濯水の温度は、外槽３３の底部３３ａに設けられたサーミスタ等の温度検知手段４３により検知し、加熱手段４２は、温度検知手段４３の出力信号が制御手段４０に入力されて制御される。
【００４０】
外槽３３の底部３３ａと排水弁３９を連結する排水経路４４が設けられており、外槽３３の下方に配設されている。排水経路４４には、排水される洗濯水中の異物を取り除くフィルター手段４５が設けられている。
【００４１】
フィルター手段４５は、排水経路４４に連通接続したフィルターケース４６と、フィルターケース４６内に脱着自在に装着するフィルター４７と、フィルター４７の装着時と取外し時にフィルター４７を把持するフィルターツマミ４７ａと、フィルター４７を装着状態に保持するロック手段４８とで構成している。
【００４２】
ロック手段４８は、排水経路４４と感熱的に結合した感温部４９と、一端を感温部４９に支持しバイメタルで構成されたロック操作部５０と、ロック操作部５０の先端にフィルターツマミ４７ａに向けて折り曲げて形成したロック部５１とで構成され、感温部４９で所定温度（例えば、７０℃）より高い温度を感知した場合は、ロック操作部５０が熱変形してロック手段４８が作動する。
【００４３】
感温部４９は、排水経路４４内に滞留した洗濯水から吸熱しバイメタルで構成したロック操作部５０を支持するとともに、熱を伝える働きをするものである。ロック部５１は、ロック操作部５０の熱変形により移動してフィルターツマミ４７ａに設けられているロック穴５２に挿入されるように構成している。ロック穴５２は、ロック部５１の先端部分と対向する位置に設けられている。
【００４４】
以上のように構成された洗濯機について、以下その動作、作用を説明する。まず、外槽３３の前面側に設けた開口部３３ｂを開閉する扉３０ｂを開き、洗濯兼脱水槽３４の前面側に開口した投入口３４ｂから洗濯兼脱水槽３４内に洗濯物を投入し、洗剤供給手段３７内に洗剤を入れた後、操作表示部を操作して運転を開始する。
【００４５】
これによって、制御手段４０は、給水弁３６を洗剤供給手段３７側に設定し、外槽３３内に給水を開始する。この時、給水された洗濯水は、外槽３３と洗濯兼脱水槽３４で構成される隙間に流入し、直接洗濯物が吸水することはないので、吸水による洗濯物の温度低下を防ぐことができる。
【００４６】
投入された洗濯物の量を布量検知手段（図示せず）で検知し、洗濯物の量に応じて予め設定された所定量の水が給水されたことを水位検知手段３８が検知すると、制御手段４０は、洗濯兼脱水槽３４を叩き洗いが可能な回転速度（例えば、４５ｒ／ｍｉｎ）で正転と反転を繰り返し行わせ、洗濯物を回転方向へ持ち上げて、洗濯兼脱水槽３４内の上部から落下させる、所謂、叩き洗いを実行する。除菌洗浄を行う場合、外槽３３の底部３３ａに溜めた洗濯水は、加熱手段４２により温度検知手段４３が例えば７０℃を検知するまで加熱される。
【００４７】
洗濯終了後、排水弁３９が作動し、洗濯水が排水される。除菌洗浄の設定により洗濯水
の温度が例えば７０℃に加熱されている場合、排水が完全に行われずに排水経路４４内に高温の洗濯水が滞留していると、感温部４９を介してロック操作部５０が加熱されて熱変形し、ロック部５１はロック穴５２の方向に移動する。
【００４８】
ロック部５１がロック穴５２に挿入されると、フィルターツマミ４７ａの回動が妨げられ、フィルター４７をフィルターケース４６から取り外すことができなくなる。時間が経過して、滞留した洗濯水の温度が低下し、ロック操作部５０の形状が復元すると、ロック部５１がロック穴５２から抜けてフィルターツマミ４７ａの回動が可能となり、フィルター４７を取り外すことができるようになる。したがって、高温の洗濯水が漏出することなく、安全にフィルター４７を取り外すことができるようになる。
【００４９】
以上のように、本実施の形態においては、洗濯機本体３０内に揺動可能に支持した外槽３３と、外槽３３内に回転自在に配設した洗濯兼脱水槽３４と、外槽３３に洗濯水を供給する給水手段３６と、洗濯水を加熱する加熱手段４２と、洗濯水を排水する排水手段３９と、外槽３３の底部３３ａと排水手段３９を連通する排水経路４４と、排水経路４４に設けられ洗濯水中の異物を取り除くフィルター手段４５とを備え、フィルター手段４５は、排水経路４４に連通接続したフィルターケース４６と、フィルターケース４６内に脱着自在に装着するフィルター４７と、フィルター４７を装着した状態に保持するロック手段４８とを有し、ロック手段４８は、洗濯水の温度が所定温度より高い時にロックするようにしたものであり、洗濯中や洗濯後に、洗濯水や残水が外槽３３や排水経路４４に存在し所定温度より高い場合は、通電が遮断された状態であってもロック手段４８が作動してフィルター４７を取り外せなくすることができるようになり、温水の漏出を防止して、安全性を向上することができる。
【００５０】
（実施の形態３）
図３は、本発明の第３実施の形態の洗濯機の要部断面図である。本実施の形態の特徴は、ロック手段４８の感温部４９を排水経路４４に設けて洗濯水の温度を感知するようにしたものである。他の構成は実施の形態２と同じであり、同一の構成に同一の符号を付して、詳細な説明は実施の形態１のものを援用する。
【００５１】
図３において、ロック手段４８は、フィルターケース４６からのフィルター４７の離脱を防止するロック部５１と、洗濯水の温度を感知する感温部４９と、感温部４９で感知した温度に応じてロック部５１を駆動するロック操作部５０を備えている。感温部４９は、フィルターケース４６の流出側の排水経路４４に設けている。
【００５２】
本実施の形態によれば、外槽３３の底部３３ａからフィルター手段４５に至る排水経路４４は、外槽３３の底部３３ａより下方に配設されて残水が溜まり易く、排水経路４４内の残水が少量であっても、確実にその温度を感知してロック部５１を作動させることができるので、ロック手段４８の信頼性を向上させることができる。
【００５３】
（実施の形態４）
図４は、本発明の第４の実施の形態の洗濯機の要部断面図である。本実施の形態の特徴は、ロック手段４８の感温部４９をフィルターケース４６に設けて洗濯水の温度を感知するようにしたものである。他の構成は実施の形態２と同じであり、同一の構成に同一の符号を付して、詳細な説明は実施の形態１のものを援用する。
【００５４】
図４において、ロック手段４８は、フィルターケース４６からのフィルター４７の離脱を防止するロック部５１と、洗濯水の温度を感知する感温部４９と、感温部４９で感知した温度に応じてロック部５１を駆動するロック操作部５０を備えている。感温部４９は、フィルターケース４６の外面下部に設けている。
【００５５】
本実施の形態によれば、残水の漏水口となるフィルターケース４６に感温部４９を設けることにより、最初に漏水する残水の温度を感知してロック部５１を作動させることができ、ロック手段４８の信頼性を更に向上させることができる。
【００５６】
（実施の形態５）
図５は、本発明の第５の実施の形態の洗濯機の要部断面図である。本実施の形態の特徴は、ロック手段４８をフィルター４７内に設けて洗濯水の温度を感知するようにしたものである。他の構成は実施の形態２と同じであり、同一の構成に同一の符号を付して、詳細な説明は実施の形態２のものを援用する。
【００５７】
図５において、ロック手段４８は、フィルターケース４６からのフィルター４７の離脱を防止するロック部５１と、洗濯水の温度を感知する感温部４９と、感温部４９で感知した温度に応じてロック部５１を駆動するロック操作部５０を備えている。ロック手段４８は、フィルター４７内に設けている。
【００５８】
本実施の形態によれば、漏水口となるフィルターケース４６内の残水中に挿入されるフィルター４７内にロック手段４８を設けたものあり、感温部４９の感度を高めてロック部５１を迅速に作動させることができ、ロック手段４８の信頼性を更に向上させることができる。
【００５９】
（実施の形態６）
図６は、本発明の第６の実施の形態の洗濯機のフィルター手段の要部断面図であり、ロック手段によるロック状態を示している。図７は、同ロック手段のロック解除状態を示している。本実施の形態の特徴は、ロック手段４８の感温部４９をコイル状の形状記憶合金で構成したものである。他の構成は実施の形態２と同じであり、同一の構成に同一の符号を付して、詳細な説明は実施の形態１のものを援用する。
【００６０】
図６および図７において、ロック手段４８の感温部４９をコイル状に形成した形状記憶合金で構成している。コイル状に形成した圧縮ばね５３は、感温部４９が設定温度以下になったとき、コイル状の感温部４９を元の状態に戻す方向へ付勢している。リンク機構５４は、ロック操作部５０の一端と連結されており、感温部４９の伸縮によるロック操作部５０の進退動作により、ロック部５１がフィルターツマミ４７ａの側部から出没するように構成されている。
【００６１】
フィルターケース４６には、ロック部５１と対向する位置にロック部５１の先端部分が挿入されるロック穴５２が設けられている。ロック操作部５０は、感温部４９と圧縮ばね５３によって進退自在に設けられ、フィルター４７内に摺動可能に構成している。コイル状の形状記憶合金で構成した感温部４９と圧縮ばね５３は、筒状部４９ａ内に収容してあり、フィルター４７で捕集したリント等の異物が付着堆積しないように構成している。
【００６２】
感温部４９に温水の熱が伝わり所定温度（例えば、７０℃）以上になると、感温部４９の復元力によって圧縮ばね５３を圧縮し、ロック操作部５０が伸びる方向に移動するので、ロック部５１がフィルターツマミ４７ａの側部から突出してロック穴５２に挿入され、フィルターツマミ４７ａの回動が規制されて、フィルター４７が装着された状態に保持される。
【００６３】
感温部４９の温度が所定温度（例えば、７０℃）より下がると、復元力が失われ、圧縮ばね５３の反発力でロック操作部５０が縮む方向に移動し、ロック部５１がロック穴５２から離脱する。ロック部５１は、フィルターツマミ４７ａの側部から内方へ収容され、フ
ィルターツマミ４７ａの回動が可能となる。したがって、フィルター４７は、ロック手段４８とともにフィルターケース４６から取り外すことができる。
【００６４】
本実施の形態によれば、感温部４９が設定温度に達すると元の形状に復元するコイル状の形状記憶合金で構成したものであり、設定温度以上で確実にロック操作部５０を作動させることができ、ロック手段４８の信頼性を向上させるとともに、構成を簡略にすることができる。
【００６５】
（実施の形態７）
図８は、本発明の第７の実施の形態の洗濯機の要部断面図である。本実施の形態の特徴は、ロック手段４８を感温部４９を有した液体膨張による作動体５５で構成し、感温部４９を加熱手段４２近傍の外槽３３に設けたものである。他の構成は実施の形態１と同じであり、同一の構成に同一の符号を付して、詳細な説明は実施の形態２のものを援用する。
【００６６】
図８において、ロック手段４８は、感温部４９を有した液体膨張による作動体５５で構成している。感温部４９は、外槽３３の底部に配設した加熱手段４２の近傍の外槽３３の底部３３ａに設けている。
【００６７】
本実施の形態によれば、フィルター４７から離れた位置で洗濯水の温度を感知することができるようになり、残水の温度が最も高い外槽３３内の温度を感知して、ロック部５１を作動させることができ、温水の漏出を防止して安全性を向上することができる。
【産業上の利用可能性】
【００６８】
以上のように、本発明にかかる洗濯機は、洗濯水や残水が外槽や循環経路に存在し所定温度より高い場合は、通電が遮断された状態であってもフィルターを取り外せなくすることができ、温水の漏出を防止して、安全性を向上することができるので、洗濯機として有用である。
【符号の説明】
【００６９】
３０  洗濯機本体
３３  外槽
３３ａ  底部
３４  洗濯兼脱水槽
３６  給水弁（給水手段）
３９  排水弁（排水手段）
４２  加熱手段
４４  排水経路
４５  フィルター手段
４６  フィルターケース
４７  フィルター
４８  ロック手段
【図１】
2014233516.tif 000003
【図２】
2014233516.tif 000004
【図３】
2014233516.tif 000005
【図４】
2014233516.tif 000006
【図５】
2014233516.tif 000007
【図６】
2014233516.tif 000008
【図７】
2014233516.tif 000009
【図８】
2014233516.tif 000010
【図９】
2014233516.tif 000011